(57)【特許請求の範囲】
【請求項１】
プロセッサと、
前記プロセッサによって実行されたとき、動作のパフォーマンスを促進する実行可能命令を記憶するメモリと
を含む装置であって、前記動作が、
基地局デバイスと、モバイル・デバイス群のうちのモバイル・デバイスとの間でハイブリッド・チャネル・シグナリングを用いることであって、
ダウンリンク・チャネル・シグナリング用に送信された第１のタイプの情報を、前記ダウンリンク・チャネル・シグナリング用の第２のタイプまたは第３のタイプの情報でオーバーライドするかどうかを判定することであって、前記第１のタイプの情報が、前記モバイル・デバイス群のための第１のリソース要素マッピング・パターンに対する、物理リソース・ブロックの第１の物理リソース・ブロック・グループに関連付けられており、前記第２のタイプの情報が、前記モバイル・デバイス群のグループのための第２のリソース要素マッピング・パターンに対する、前記物理リソース・ブロックの第２の物理リソース・ブロック・グループに関連付けられており、前記第３のタイプの情報が、前記モバイル・デバイス群のグループのための第３のリソース要素マッピング・パターンに対する、前記物理リソース・ブロックの第３の物理リソース・ブロック・グループに関連付けられ、複数の前記第３の物理リソース・ブロック・グループに対して互いに異なる前記第３のリソース要素マッピング・パターンを割り当てる、判定すること
を含む用いることと、
物理ダウンリンク共有チャネルからの選択されたリソース要素を占有することに関連付けられたスケジューリング決定に基づいて、前記第１の物理リソース・ブロック・グループの一部を前記第２の物理リソース・ブロック・グループでオーバーライドするために、前記第２のタイプの情報を送信することと、
前記スケジューリング決定に基づいて、前記第１または前記第２の物理リソース・ブロック・グループの一部を前記第３の物理リソース・ブロック・グループでオーバーライドするために、前記第３のタイプの情報を送信することと、を含む、装置。
【請求項２】
前記第１のリソース要素マッピング・パターンが、前記第２のリソース要素マッピング・パターンとは別個である、請求項１に記載の装置。
【請求項３】
前記動作が、前記第１の物理リソース・ブロック・グループに対する第１のリソース要素マッピングの第１のビットマップを送信することをさらに含む、請求項２に記載の装置。
【請求項４】
前記動作が、前記第２の物理リソース・ブロック・グループに対する第２のリソース要素マッピングの第２のビットマップを送信することをさらに含む、請求項３に記載の装置。
【請求項５】
前記ハイブリッド・チャネル・シグナリングを前記用いることが、
前記基地局デバイスから前記モバイル・デバイスに、知られている参照信号の構成を送信することをさらに含む、請求項１に記載の装置。
【請求項６】
前記構成を前記送信することが、ダウンリンク・チャネル・シグナリング用に送信された前記第１のタイプの情報を、前記ダウンリンク・チャネル・シグナリング用の前記第２のタイプの情報でオーバーライドするかどうかを前記判定することに先立って実施される、請求項５に記載の装置。
【請求項７】
プロセッサを含む基地局デバイスによって、リソース要素マッピング・シグナリングを生成することであって、前記リソース要素マッピング・シグナリングが、物理リソース・ブロックのグループのサブグループの物理リソース・ブロックごとに実施される、生成することと、
前記基地局デバイスによって、第１のリソース要素マッピング・パターンを、物理リソース・ブロックの前記グループの第１のサブグループに送信することと、
前記基地局デバイスによって、第２のリソース要素マッピング・パターンを、物理リソース・ブロックの前記グループの第２のサブグループに送信することであって、前記第１のリソース要素マッピング・パターンが前記第２のリソース要素マッピング・パターンとは異なる、送信することと、
前記基地局デバイスによって、第３のリソース要素マッピング・パターンを、物理リソース・ブロックの前記グループの第３のサブグループに送信することであって、前記第３のリソース要素マッピング・パターンが前記第１または前記第２のリソース要素マッピング・パターンとは異なる、送信することと、を含み、
複数の前記第３のサブグループに対する前記第３のリソース要素マッピング・パターンは、互いに異なる、方法。
【請求項８】
物理リソース・ブロックの前記グループの前記第１のサブグループが、物理リソース・ブロックの前記グループの前記第２のサブグループと相互に排他的である、請求項７に記載の方法。
【請求項９】
前記生成することに先立って、
前記基地局デバイスによって、物理リソース・ブロックの前記グループの前記第１のサブグループに対する、モバイル・デバイス群のグループの第１のサブグループのモバイル・デバイス群を決定することと、前記基地局デバイスによって、物理リソース・ブロックの前記グループの前記第２のサブグループに対する、モバイル・デバイス群の前記グループの第２のサブグループのモバイル・デバイス群を決定することと
を含む請求項７に記載の方法。
【請求項１０】
前記第１のサブグループのモバイル・デバイス群を前記決定すること、および前記第２のサブグループのモバイル・デバイス群を前記決定することが、前記モバイル・デバイス群のうちのどれが、定義されたタイプの信号送信を受信するように構成されるのかを決定することを含む、請求項９に記載の方法。
【請求項１１】
プロセッサによって実行されたとき、動作のパフォーマンスを促進する実行可能命令を含むマシン可読ストレージ媒体であって、前記動作が、
基地局デバイスと、デバイス群のうちのデバイスとの間でハイブリッド・チャネル・シグナリングを用いることであって、
ダウンリンク・チャネル・シグナリング用に送信された第１のタイプの情報を、前記ダウンリンク・チャネル・シグナリング用の第２のタイプまたは第３のタイプの情報でオーバーライドするかどうかを判定することであって、
前記第１のタイプの情報が、前記デバイス群のための第１のリソース要素マッピング・パターンに対する、物理リソース・ブロックの第１の物理リソース・ブロックに関連付けられており、
前記第２のタイプの情報が、前記デバイス群のための第２のリソース要素マッピング・パターンに対する、前記物理リソース・ブロックの第２の物理リソース・ブロックに関連付けられており、
前記第３のタイプの情報が、前記デバイス群のための第３のリソース要素マッピング・パターンに対する、前記物理リソース・ブロックの第３の物理リソース・ブロックに関連付けられ、複数の第３の物理リソース・ブロック・グループに対して互いに異なる前記第３のリソース要素マッピング・パターンを割り当てる、判定すること
を含む用いることと、
前記第１の物理リソース・ブロックの一部を前記第２の物理リソース・ブロックと取り替えるために、前記第２のタイプの情報を送信することと、
前記第１または前記第２の物理リソース・ブロックの一部を前記第３の物理リソース・ブロックと取り替えるために、前記第３のタイプの情報を送信することと、を含む、マシン可読ストレージ媒体。
【請求項１２】
前記送信することが、物理ダウンリンク共有チャネルからのリソース要素において送信することに関連付けられたスケジューリング決定に基づく、請求項１１に記載のマシン可読ストレージ媒体。
【請求項１３】
前記第１のリソース要素マッピング・パターンが、前記第２のリソース要素マッピング・パターンとは別個である、請求項１１に記載のマシン可読ストレージ媒体。
【請求項１４】
前記動作が、前記第１の物理リソース・ブロックに対する第１のリソース要素マッピングの第１のビットマップを送信することをさらに含む、請求項１１に記載のマシン可読ストレージ媒体。
【請求項１５】
前記動作が、前記第２の物理リソース・ブロックに対する第２のリソース要素マッピングの第２のビットマップを送信することをさらに含む、請求項１４に記載のマシン可読ストレージ媒体。
【請求項１６】
前記ハイブリッド・チャネル・シグナリングを前記用いることが、
前記基地局デバイスから前記デバイスに、知られている参照信号の構成を送信すること
をさらに含む、請求項１１に記載のマシン可読ストレージ媒体。
【請求項１７】
前記構成を前記送信することが、ダウンリンク・チャネル・シグナリング用に送信された前記第１のタイプの情報を、前記ダウンリンク・チャネル・シグナリング用の前記第２のタイプの情報でオーバーライドするかどうかを前記判定することに先立って実施される、請求項１６に記載のマシン可読ストレージ媒体。
【請求項１８】
前記デバイスがモバイル・デバイスを含む、請求項１１に記載のマシン可読ストレージ媒体。
【請求項１９】
前記動作が、前記第３の物理リソース・ブロック・グループに対する第３のリソース要素マッピングの第３のビットマップを送信することをさらに含む、請求項４に記載の装置。
【発明の詳細な説明】
【技術分野】
【０００１】
関連出願の相互参照
本出願は、その全体において参照により本明細書に組み込まれる、「ＦＡＣＩＬＩＴＡＴＩＮＧ  ＤＯＷＮＬＩＮＫ  ＳＨＡＲＥＤ  ＣＨＡＮＮＥＬ  ＲＥＳＯＵＲＣＥ  ＥＬＥＭＥＮＴ  ＭＡＰＰＩＮＧ  ＩＮＤＩＣＡＴＯＲ」と題され、２０１７年３月３１日に出願された米国非仮出願第１５／４７６，８５２号の優先権を主張するものである。
【０００２】
本開示は、一般に、通信システムに関し、たとえば、ワイヤレス通信システムにおけるダウンリンク共有チャネルの効率的な使用のためにリソース要素（ＲＥ）マッピングを促進するための、システム、方法、および／またはマシン可読ストレージ媒体に関する。
【背景技術】
【０００３】
データ中心のアプリケーションに対する莫大な需要を満たすために、ワイヤレス通信のための第３世代パートナーシップ・プロジェクト（３ＧＰＰ）システムおよび第４世代（４Ｇ）標準の仕様の１つまたは複数の態様を用いるシステムは、ワイヤレス通信のための第５世代（５Ｇ）標準に拡大されることになる。来たるべき５Ｇ標準に関連付けられたサービスのレベルを提供するために、類のない挑戦が存在する。
【図面の簡単な説明】
【０００４】
【図１】本明細書で説明される１つまたは複数の実施形態に従って、ダウンリンク制御チャネルの効率的な使用のためにリソース要素（ＲＥ）マッピングを促進するための例としての非限定的なメッセージ・シーケンス・フロー図である。
【図２】本明細書で説明される１つまたは複数の実施形態に従って、ダウンリンク制御チャネルの効率的な使用のためにＲＥマッピングを促進することができる制御デバイスの例としての非限定的なブロック図である。
【図３】本明細書で説明される１つまたは複数の実施形態に従って、それのためのＲＥマッピングが決定され得るモバイル・デバイスの例としての非限定的なブロック図である。
【図４】本明細書で説明される１つまたは複数の実施形態に従った、単一の物理リソース・ブロック（ＰＲＢ）に対する、およびダウンリンク制御チャネルの効率的な使用のためにＲＥマッピングを促進するために用いることができる、例としての非限定的なＲＥマッピング・パターンを示す図である。
【図５】本明細書で説明される１つまたは複数の実施形態に従った、単一の物理リソース・ブロック（ＰＲＢ）に対する、およびダウンリンク制御チャネルの効率的な使用のためにＲＥマッピングを促進するために用いることができる、例としての非限定的なＲＥマッピング・パターンを示す図である。
【図６】本明細書で説明される１つまたは複数の実施形態に従った、単一の物理リソース・ブロック（ＰＲＢ）に対する、およびダウンリンク制御チャネルの効率的な使用のためにＲＥマッピングを促進するために用いることができる、例としての非限定的なＲＥマッピング・パターンを示す図である。
【図７】本明細書で説明される１つまたは複数の実施形態に従った、単一の物理リソース・ブロック（ＰＲＢ）に対する、およびダウンリンク制御チャネルの効率的な使用のためにＲＥマッピングを促進するために用いることができる、例としての非限定的なＲＥマッピング・パターンを示す図である。
【図８】本明細書で説明される１つまたは複数の実施形態に従って、ダウンリンク制御チャネルの効率的な使用のためにＲＥマッピングを促進するために用いることができる、別の例としての非限定的なＲＥマッピング・パターンを示す図である。
【図９】本明細書で説明される１つまたは複数の実施形態に従った、多数のＰＲＢに対する、およびダウンリンク制御チャネルの効率的な使用のためにＲＥマッピングを促進するために用いることができる、例としての非限定的なＲＥマッピング・パターンを示す図である。
【図１０】本明細書で説明される１つまたは複数の実施形態に従って、ダウンリンク共有チャネルの効率的な使用のためにＲＥマッピングを促進する方法のフロー図である。
【図１１】本明細書で説明される１つまたは複数の実施形態に従って、ダウンリンク共有チャネルの効率的な使用のためにＲＥマッピングを促進する方法のフロー図である。
【図１２】本明細書で説明される１つまたは複数の実施形態に従って用いることができるコンピュータのブロック図である。
【発明を実施するための形態】
【０００５】
１つまたは複数の実施形態がこれより図面を参照して説明され、図面において、同様の参照番号は、全体を通して同様の要素を指すために使用される。以下の説明において、解説の目的のために、数多くの具体的な詳細が、さまざまな実施形態の徹底した理解を提供するために記載される。しかしながら、さまざまな実施形態は、これらの具体的な詳細なしに（および、任意の特定のネットワーク化された環境または標準に適用せずに）実践されてもよいことは明白である。
【０００６】
本開示で使用されるとき、いくつかの実施形態において、用語「コンポーネント」、「システム」などは、コンピュータ関係のエンティティ、または１つもしくは複数の固有の機能性を備えた動作可能な装置に関係したエンティティを指す、またはエンティティを含むことを意図し、ここで、エンティティは、ハードウェア、ハードウェアとソフトウェアとの組合せ、ソフトウェア、または実行中のソフトウェアのいずれであってもよい。例として、コンポーネントは、限定はしないが、プロセッサ上で稼働するプロセス、プロセッサ、オブジェクト、実行可能ファイル、実行のスレッド、コンピュータ実行可能命令、プログラム、および／またはコンピュータであってよい。限定ではなく例示として、サーバ上で稼働するアプリケーションおよびサーバの両方が、コンポーネントであり得る。
【０００７】
１つまたは複数のコンポーネントは、実行のプロセスおよび／またはスレッド内に常駐することができ、コンポーネントは、１つのコンピュータ上でローカライズされても、および／または２つ以上のコンピュータの間で分散されてもよい。加えて、これらのコンポーネントは、さまざまなデータ構造を記憶しているさまざまなコンピュータ可読媒体から実行することができる。コンポーネントは、１つまたは複数のデータ・パケット（たとえば、ローカル・システム、分散システムにおいて、および／または、信号を介して他のシステムを有するインターネットなどのネットワークをまたいで、別のコンポーネントと対話する１つのコンポーネントからのデータ）を有する信号などに従って、ローカルなおよび／またはリモートのプロセスを介して通信することができる。別の例として、コンポーネントは、プロセッサによって実行されるソフトウェア・アプリケーションまたはファームウェア・アプリケーションによって動作する電気回路または電子回路によって動作する機械的部品により提供された固有の機能性を備えた装置であってもよく、ここで、プロセッサは、装置の内部にあっても外部にあってもよく、ソフトウェアまたはファームウェア・アプリケーションの少なくとも一部を実行する。さらに別の例として、コンポーネントは、機械的部品なしに、電子コンポーネントを通じて固有の機能性を提供する装置であってもよく、電子コンポーネントは、その中にプロセッサを含んで、電子コンポーネントの機能性を少なくとも部分的に与えるソフトウェアまたはファームウェアを実行することができる。さまざまなコンポーネントを別々のコンポーネントとして例示してきたが、例としての実施形態から逸脱することなく、多数のコンポーネントが単一のコンポーネントとして実装されてもよいし、または単一のコンポーネントが多数のコンポーネントとして実装されてもよいことが認められるであろう。
【０００８】
さらに、さまざまな実施形態は、開示された主題を実装するようにコンピュータを制御するためのソフトウェア、ファームウェア、ハードウェア、またはそれらの任意の組合せを生み出すために、標準的なプログラミングおよび／またはエンジニアリング技法を使用する方法、装置、または製造物品（ａｒｔｉｃｌｅ  ｏｆ  ｍａｎｕｆａｃｔｕｒｅ）として実装されてよい。用語「製造物品」は、本明細書で使用されるとき、任意のコンピュータ可読（もしくはマシン可読）デバイス、またはコンピュータ可読（もしくはマシン可読）ストレージ／通信媒体からアクセス可能なコンピュータ・プログラムを包含することを意図する。たとえば、コンピュータ可読ストレージ媒体は、限定はしないが、磁気ストレージ・デバイス（たとえば、ハードディスク、フロッピーディスク、磁気ストリップ）、光学ディスク（たとえば、コンパクト・ディスク（ＣＤ）、デジタル多用途ディスク（ＤＶＤ））、スマートカード、およびフラッシュ・メモリ・デバイス（たとえば、カード、スティック、キードライブ）を含むことができる。当然ながら、当業者は、さまざまな実施形態の範囲または趣旨から逸脱することなく、この構成に多くの変更が行われてもよいことを認識するであろう。
【０００９】
加えて、単語「例として（ｅｘａｍｐｌｅ）」および「典型的な（ｅｘｅｍｐｌａｒｙ）」は、実例または例示として働くことを意味するように本明細書で使用される。「例として」または「典型的な」として本明細書で説明されるあらゆる実施形態または設計は、他の実施形態または設計よりも必ずしも好ましい、または有利であるとは解釈されない。むしろ、例として、または典型的なという単語の使用は、具体化したやり方での概念を提示することを意図する。本出願で使用されるとき、用語「または」は、排他的な「または」ではなく、包括的な「または」を意味することを意図する。すなわち、別段指定されていない限り、またはコンテキストから明らかでない限り、「ＸがＡまたはＢを用いる」は、自然な包括的順列のうちのいずれかを意味することを意図する。すなわち、ＸがＡを用いる、ＸがＢを用いる、またはＸがＡおよびＢの両方を用いる場合に、上述した実例のいずれかの下で「ＸがＡまたはＢを用いる」が成立する。加えて、本出願および添付の特許請求の範囲で使用されるときの冠詞「ａ」および「ａｎ」は、一般に、単数形を対象とすることが別段指定されていない限り、またはコンテキストから明らかでない限り、「１つまたは複数」を意味するように解釈するべきである。
【００１０】
その上、「モバイル・デバイス機器」、「モバイル局」、「モバイル」、「加入者局」、「アクセス端末」、「端末」、「ハンドセット」、「通信デバイス」、「モバイル・デバイス」（および／または同様の専門語を表現する用語）などの用語は、データ、制御、音声、ビデオ、サウンド、ゲーミング、または実質的に任意のデータ・ストリームもしくはシグナリング・ストリームを受信する、または伝達するために、ワイヤレス通信サービスの加入者またはモバイル・デバイスによって利用されるワイヤレス・デバイスを指すことがある。上述した用語は、本明細書で、かつ関係した図面を参照して、交換可能に利用される。同様に、用語「アクセス・ポイント（ＡＰ）」、「基地局（ＢＳ）」、ＢＳトランシーバ、ＢＳデバイス、セル・サイト、セル・サイト・デバイス、「ＮｏｄｅＢ（ＮＢ）」、「進化型ＮｏｄｅＢ（ｅＮｏｄｅＢ）」、「ホームＮｏｄｅＢ（ＨＮＢ）」などは、本出願で交換可能に利用され、データ、制御、音声、ビデオ、サウンド、ゲーミング、または実質的に任意のデータ・ストリームもしくはシグナリング・ストリームを、送信する、および／または１つまたは複数の加入者局から受信する、ワイヤレス・ネットワーク・コンポーネントまたはアプライアンスを指す。データおよびシグナリング・ストリームは、パケット化されたまたはフレームベースのフローであってよい。
【００１１】
さらに、用語「デバイス」、「通信デバイス」、「モバイル・デバイス」、「加入者」、「カスタマー・エンティティ」、「消費者」、「カスタマー・エンティティ」、「エンティティ」などは、コンテキストがそれらの用語の中で特定の区別を正当としない限り、全体を通して交換可能に用いられる。そのような用語は、人間のエンティティ、またはシミュレートされた視覚、サウンド認識、その他を提供することができる人工知能（たとえば、複雑な数学的形式に基づいて推論を行う能力）を通じてサポートされる自動化されたコンポーネントを指すことがあることを認めるべきである。
【００１２】
本明細書で説明される実施形態は、限定はしないが、ワイヤレス・フィデリティ（Ｗｉ−Ｆｉ）、モバイル通信用グローバル・システム（ＧＳＭ）、ユニバーサル・モバイル電気通信システム（ＵＭＴＳ）、ワールドワイド・インターオペラビリティ・フォー・マイクロウェーブ・アクセス（ＷｉＭＡＸ）、拡張型汎用パケット無線サービス（拡張型ＧＰＲＳ）、第３世代パートナーシップ・プロジェクト（３ＧＰＰ）ロング・ターム・エボリューション（ＬＴＥ）、第３世代パートナーシップ・プロジェクト２（３ＧＰＰ２）ウルトラ・モバイル・ブロードバンド（ＵＭＢ）、高速パケット・アクセス（ＨＳＰＡ）、Ｚ−Ｗａｖｅ、Ｚｉｇｂｅｅ、および他の８０２．ＸＸワイヤレス技術および／またはレガシー電気通信技術を含む、実質的に任意のワイヤレス通信技術において活用されてよい。
【００１３】
いくつかのワイヤレス通信システム制御フレームワークにおいて、データ・チャネル用に割り振られるリソースの数は、制御チャネルにおいて指し示される。モバイル・デバイスは、制御チャネルが位置する領域（たとえば、直交周波数分割多重化（ＯＦＤＭ）シンボル）およびリソース要素をサーチすることができる。いくつかのケースにおいて、制御チャネルがリソースを確保している場合、確保されたリソースが使用中ではないことがある、または現在必要とされていないことがあるにもかかわらず、これらの確保されたリソースをデータ・チャネルの送信用に使用することはできない。無駄な結果である。いくつかのシステムにおいて、データおよび制御情報を多重化することができず、これはまた、リンク／システム・スループットにおける無駄および低下をもたらす。
【００１４】
ＬＴＥ  ＰＤＳＣＨ  ＲＥマッピング・メカニズムは、数ビットの構成を使用して複雑なＲＥパターンを伝達することができるので、非常に効率的であり得る。しかしながら、欠点は、ＬＴＥ  ＰＤＳＣＨ  ＲＥマッピング・メカニズムが、通常、仕様においてそのモバイル・デバイスに知られている参照信号（ＲＳ）またはチャネルのＲＥパターンを利用するというアプローチを用いることである。来たるべきデバイスはまだ知られていないＲＥパターンを有することがあるので、それに応じて、来たるべきデバイスでフォーマット化されるＲＳおよび／またはチャネルの周囲でＲＥマッピングを実施するように、メカニズムを適応させることはできない。
【００１５】
この欠点のために、３ＧＰＰは、新しいＲＳ（たとえば、チャネル状態情報参照信号（ＣＳＩ−ＲＳ））を導入している。新しいＲＳは、さまざまなＲＥを利用することができ、レガシー・モバイル・デバイスは（上で記したように）ＲＥに気付く必要がない。しかしながら、レガシー・モバイル・デバイスはＲＥに気付かないので、いくつかのケースにおいては、レガシー・モバイル・デバイスのパフォーマンスが負の影響を受けることがある。したがって、５Ｇ設計の少なくともいくつかの実装において、将来的な互換性を可能にすることが重要である。
【００１６】
５Ｇワイヤレス通信システムにおけるダウンリンク制御チャネルの効率的な使用のためにＲＥマッピングを促進するための、システム、方法、および／またはマシン可読ストレージ媒体が本明細書で提供される。ＬＴＥ、ロング・ターム・エボリューション・アドバンスト（ＬＴＥ−Ａ）、高速パケット・アクセス（ＨＳＰＡ）、その他などのレガシー・ワイヤレス・システムは、スケジューリング許可についての情報を搬送するダウンリンク制御チャネルを有することができる。通常、これは、スケジュールされたいくつかの多入力多出力（ＭＩＭＯ）レイヤ、トランスポート・ブロック・サイズ、各コード語に対する変調、ハイブリッド自動再送要求（ＨＡＲＱ）に関係したパラメータ、サブバンド位置、およびまた、サブバンドに対応するプリコーディング行列インデックスを含む。
【００１７】
通常、ダウンリンク制御情報（ＤＣＩ）フォーマットに基づいて、以下の情報、すなわち、ローカライズされた／分散された仮想リソース・ブロック（ＶＲＢ）割り当てフラグ、リソース・ブロック割り当て、変調およびコーディング・スキーム、ＨＡＲＱプロセス番号、新データ・インジケータ、冗長バージョン、アップリンク制御チャネルのための送信電力制御（ＴＰＣ）コマンド、ダウンリンク割り当てインデックス、プリコーディング行列インデックス、ならびに／またはレイヤの数を送信することができる。
【００１８】
本明細書で使用されるとき、「５Ｇ」はまた、新無線（ＮＲ）アクセスと呼ぶこともできる。それに応じて、５Ｇワイヤレス通信システムにおけるダウンリンク制御チャネルの効率的な使用のためにＲＥマッピングを促進するための、システム、方法、および／またはマシン可読ストレージ媒体が所望される。本明細書で使用されるとき、５Ｇネットワークの１つまたは複数の態様は、限定はしないが、数万人のユーザに対してサポートされる数十メガビット／秒（Ｍｂｐｓ）のデータレート、数十人のユーザ（たとえば、同じオフィス・フロア上の数十人の作業者）に同時に施されることになる少なくとも１ギガビット／秒（Ｇｂｐｓ）、大規模センサ配備に対してサポートされる数十万の同時接続、４Ｇと比較して大幅に拡張されたスペクトル効率、４Ｇに対してのカバレッジにおける向上、４Ｇと比較して拡張されたシグナリング効率、および／またはＬＴＥと比較して大幅に削減されたレイテンシを含むことができる。
【００１９】
本明細書で説明される１つまたは複数の実施形態は、本明細書で提供される、５Ｇワイヤレス通信システムにおけるダウンリンク制御チャネルの効率的な使用のためにＲＥマッピングを促進することができる、システム、装置、方法、および／またはマシン可読ストレージ媒体を含むことができる。とりわけ、本明細書で説明される１つまたは複数の実施形態は、ＰＤＳＣＨ  ＲＥマッピングを構成するためのハイブリッド・シグナリング方法を提供することができる。ハイブリッド・シグナリング方法は、第１のタイプのシグナリングと、ＲＥがすべての物理リソース・ブロック（ＰＲＢ）のために用いられる第２のタイプのシグナリングと、ＰＲＢのグループへの選択およびＰＲＢグループごとに１つのＲＥマッピング・パターンの割り振りを用いる第３のタイプのシグナリングとを含むことができる。したがって、本明細書で説明されるさまざまな実施形態において、ＰＲＢのためのＲＥを指し示し（いくつかのケースにおいてはあらゆるＲＥを指し示し）、レガシーおよび非レガシーのモバイル・デバイスに前方互換性を提供するために、１つまたは複数のビットマップを用いることができる。１つまたは複数の実施形態において、どのＰＲＢもみな同じＲＥマッピング・パターンを有する必要がないように、ＰＲＢに対して定義されるＲＥマッピング・パターンは、ＰＲＢごとに異なってよい。
【００２０】
一実施形態において、装置が提供される。装置は、プロセッサと、プロセッサによって実行されたとき、動作のパフォーマンスを促進する実行可能命令を記憶するメモリとを含むことができる。動作は、基地局デバイスと、モバイル・デバイス群のうちのモバイル・デバイスとの間でハイブリッド・チャネル・シグナリングを用いることを含むことができ、用いることは、ダウンリンク・チャネル・シグナリング用に送信された第１のタイプの情報を、ダウンリンク・チャネル・シグナリング用の第２のタイプの情報でオーバーライドするかどうかを判定することであって、第１のタイプの情報が、モバイル・デバイス群のための第１のリソース要素マッピング・パターンに対する、物理リソース・ブロックの第１の物理リソース・ブロック・グループに関連付けられており、第２のタイプの情報が、モバイル・デバイス群のグループのための第２のリソース要素マッピング・パターンに対する、物理リソース・ブロックの第２の物理リソース・ブロック・グループに関連付けられている、判定することを含み、動作はまた、物理ダウンリンク共有チャネルからの選択されたリソース要素を占有することに関連付けられたスケジューリング決定に基づいて、第１の物理リソース・ブロックの一部を第２の物理リソース・ブロックでオーバーライドするために、第２のタイプの情報を送信することを含むことができる。
【００２１】
別の実施形態において、方法が提供される。方法は、プロセッサを含む基地局デバイスによって、リソース要素マッピング・シグナリングを生成することであって、リソース要素マッピング・シグナリングが、物理リソース・ブロックのグループのサブグループの物理リソース・ブロックごとに実施される、生成することと、基地局デバイスによって、第１のリソース要素マッピング・パターンを、物理リソース・ブロックのグループの第１のサブグループに送信することと、基地局デバイスによって、第２のリソース要素マッピング・パターンを、物理リソース・ブロックのグループの第２のサブグループに送信することであって、ここで、第１のリソース要素マッピング・パターンが第２のリソース要素マッピング・パターンとは異なる、送信することとを含む。
【００２２】
別の実施形態において、マシン可読ストレージ媒体が提供される。マシン可読ストレージ媒体は、プロセッサによって実行されたとき、動作のパフォーマンスを促進する実行可能命令を含むことができ、動作は、基地局デバイスと、モバイル・デバイス群のうちのモバイル・デバイスとの間でハイブリッド・チャネル・シグナリングを用いることを含み、用いることは、ダウンリンク・チャネル・シグナリング用に送信された第１のタイプの情報を、ダウンリンク・チャネル・シグナリング用の第２のタイプの情報でオーバーライドするかどうかを判定することであって、第１のタイプの情報が、モバイル・デバイス群のための第１のリソース要素マッピング・パターンに対する、物理リソース・ブロックの第１の物理リソース・ブロックに関連付けられている、判定することを含み、動作はまた、第１の物理リソース・ブロックの一部を第２の物理リソース・ブロックと取り替えるために、第２のタイプの情報を送信することを含む。
【００２３】
１つまたは複数の実施形態は、ＰＲＢごとベースのＰＤＳＣＨ  ＲＥマッピング・パターンを柔軟に可能にすることができ、このことは、異なるＰＲＢが異なるＲＥマッピング・パターンを有することができることを意味する。また、１つまたは複数の実施形態は、許容可能なシグナリング・オーバーヘッドを提供することができる。たとえば、シグナリング・オーバーヘッドの量は、将来のリリースで新しいＲＳが導入されるにつれて、線形に増加することがある。本明細書で説明されるさまざまな実施形態のうちの１つまたは複数において、本明細書で説明される１つまたは複数の実施形態におけるあらゆるＰＲＢに対してマッピング・パターンを有する必要はない。
【００２４】
図１は、本明細書で説明される１つまたは複数の実施形態に従って、ダウンリンク制御チャネルの効率的な使用のためにＲＥマッピングを促進するための例としての非限定的なメッセージ・シーケンス・フロー図を例示する。図２は、本明細書で説明される１つまたは複数の実施形態に従って、ダウンリンク制御チャネルの効率的な使用のためにＲＥマッピングを促進することができる制御デバイスの例としての非限定的なブロック図を例示する。図３は、本明細書で説明される１つまたは複数の実施形態に従って、それのためのＲＥマッピングが決定され得るモバイル・デバイスの例としての非限定的なブロック図を例示する。本明細書で説明される他の実施形態において用いられる同様の要素の繰り返しの説明は、簡潔さのために省略される。
【００２５】
本明細書で説明されるシステム１００は、ネットワークにおける１つまたは複数のモバイル・デバイス（たとえば、モバイル・デバイス１０４）の構成および／または性能に応じて、第１、第２、または第３のタイプのハイブリッド・シグナリングを提供することができる。第１のタイプのシグナリングは、ＲＳ情報のシグナリングを含み、システムによって（たとえば、ＢＳデバイス１０２によって）常に実施される。第１のタイプのシグナリングが実施された後で、第２のタイプを実施することができる。いくつかの実施形態において、第３のタイプのシグナリングは、第２のタイプのシグナリングの間にシグナリングされた態様を上書きするために実施され得る。
【００２６】
図１を見てみると、１つまたは複数の実施形態は、たとえば、第１のタイプのシグナリングの間に、制御領域（たとえば、いくつかの実施形態においては第１のＯＦＤＭシンボル）に位置するＲＥを動的なやり方でデータのために使用するために、ＢＳデバイス１０２が、モバイル・デバイス１０４に動的にシグナリングすることを可能にすることができる。本明細書で使用されるとき、動的にシグナリングすることは、その時々で変化することがある情報のシグナリングを意味することができる。
【００２７】
本明細書で説明されるいくつかの実施形態において、ＢＳデバイス１０２は、第２のタイプのシグナリングにおいて、ＰＲＢのすべてに対するＲＥマッピング・パターン（たとえば、すべてのＰＲＢに対する単一のパターン）を構成する情報を、モバイル・デバイス１０２に送信することができる。いくつかの実施形態において、ＢＳデバイス１０２は、第３のタイプのシグナリングにおいて、ＰＲＢをグループ化し、グループ化した後で、構成されたグループに対して１つのＲＥマッピングをシグナリングして、異なるＰＲＢグループに対して異なるＲＥマッピング・パターンを構成することをもたらすことができる。本明細書で説明されるいくつかの実施形態において、それに応じて、シグナリングは、ＰＲＢベースである（信号はＰＲＢ全体に対して送信されてよい、および／または、ＲＥマッピングは特定のＰＲＢに対してであってよい）。いくつかの実施形態において、第２のタイプのシグナリングにおいて最初は単一のＰＲＢであった、グループ内の多数のＰＲＢに対して提供するように、すべてのモバイル・デバイスのための１つのＰＲＢに関連付けられたＲＥマッピングの以前の構成を、オプションで上書きすることができる。
【００２８】
１つまたは複数の実施形態は、ＰＲＢごとベースのＰＤＳＣＨ  ＲＥマッピング・パターンを柔軟に可能にすることができ、このことは、異なるＰＲＢが異なるＲＥマッピング・パターンを有することができることを意味する。また、１つまたは複数の実施形態は、許容可能なシグナリング・オーバーヘッドを提供することができる。たとえば、シグナリング・オーバーヘッドの量は、将来のリリースで新しいＲＳが導入されるにつれて、線形に増加することがある。本明細書で説明されるさまざまな実施形態のうちの１つまたは複数において、本明細書で説明される１つまたは複数の実施形態におけるあらゆるＰＲＢに対してマッピング・パターンを有する必要はない。
【００２９】
図１および第１のタイプのシグナリングに戻って見てみると、図１の１０８で示すように、参照信号および／またはパイロット信号のうちの１つまたは複数を送信することができる。参照信号および／またはパイロット信号は、ビーム形成されていても、ビーム形成されていなくてもよい。モバイル・デバイス１０４は、チャネル推定を計算して、次いでチャネル状態情報（ＣＳＩ）報告に関連付けられた１つまたは複数のパラメータを決定することができる。ＣＳＩ報告は、例として、チャネル品質インジケータ（ＣＱＩ）、プリコーディング行列インデックス（ＰＭＩ）、ランク情報（ＲＩ）、ベスト・サブバンド・インデックス、ベスト・ビーム・インデックス、その他、または任意の数の他のタイプの情報を含むことができる。
【００３０】
ＣＳＩ報告は、フィードバック・チャネル（たとえば、フィードバック・チャネル１１０）を介して、モバイル・デバイス１０４からＢＳデバイスへと送られてよい。ＢＳデバイス１０２スケジューラは、この情報を、特定のモバイル・デバイス１０４のスケジューリングのためのパラメータを選ぶ際に使用することができる。本明細書で使用されるとき、用語「ＢＳデバイス１０２」は、ネットワーク、ネットワーク・コントローラ、または任意の数の他のネットワーク・コンポーネントと交換可能であってよい（またはそれら含むことができる）。モバイル・デバイス１０４は、ダウンリンク制御チャネル（たとえば、ダウンリンク制御チャネル１１２）において、スケジューリング・パラメータをモバイル・デバイス１０４に送ることができる。この情報が送信された後で、実際のデータ転送が、データ・トラフィック・チャネル１１４上で、ＢＳデバイス１０２からモバイル・デバイス１０４へと提供されてよい。
【００３１】
ダウンリンク制御チャネルは、スケジューリング許可についての情報を搬送することができる。先に議論したように、通常、これは、スケジュールされたいくつかの多入力多出力（ＭＩＭＯ）レイヤ、トランスポート・ブロック・サイズ、各コード語に対する変調、ハイブリッド自動再送要求（ＨＡＲＱ）に関係したパラメータ、サブバンド位置、およびまた、サブバンドに対応するプリコーディング行列インデックスを含む。加えて、通常、ダウンリンク制御情報（ＤＣＩ）フォーマットに基づいて、以下の情報、すなわち、ローカライズされた／分散された仮想リソース・ブロック（ＶＲＢ）割り当てフラグ、リソース・ブロック割り当て、変調およびコーディング・スキーム、ＨＡＲＱプロセス番号、新データ・インジケータ、冗長バージョン、アップリンク制御チャネルのための送信電力制御（ＴＰＣ）コマンド、ダウンリンク割り当てインデックス、プリコーディング行列インデックス、ならびに／またはレイヤの数を送信することができる。
【００３２】
いくつかの実施形態において、ダウンリンク制御チャネルはまた、ＯＦＤＭ制御チャネル・シンボルの１つまたは複数のサブキャリアにおいてデータを搬送して、制御チャネルの効率を向上させることができる。図１に示すように、ダウンリンク制御チャネルは、データまたは制御チャネル情報を含むことができる。さまざまな実施形態において、本明細書で説明されるシステムは、制御チャネル送信のためのアプローチを提供することができる。
【００３３】
最初に図２を見てみると、制御デバイス２００は、ＢＳデバイス１０２に含まれていても、および／または、ダウンリンク制御チャネル上で送信されることになる情報の制御のための情報を生成することができる任意の他のネットワーク制御デバイスであってもよい。１つまたは複数の実施形態において、ＢＳデバイス１０２および／または制御デバイス２００は、１つまたは複数のモバイル・デバイスのためのＲＥパターンを、動的に（たとえば、物理レイヤ・シグナリング、例としてＤＣＩシグナリングを介して）、または準静的に（たとえば、上位レイヤもしくは無線リソース制御（ＲＲＣ）のシグナリング）指し示すことができる。
【００３４】
制御デバイス２００は、通信コンポーネント２０２、ＲＥ−物理リソース・ブロック決定コンポーネント２０４、ＰＲＢグループ化コンポーネント２０６、メモリ２０８、および／またはプロセッサ２１０を含むことができる。いくつかの実施形態において、通信コンポーネント２０２、ＲＥ−物理リソース・ブロック決定コンポーネント２０４、ＰＲＢグループ化コンポーネント２０６、メモリ２０８、および／またはプロセッサ２１０のうちの１つまたは複数は、電気的におよび／または通信可能に互いに結合されて、制御デバイス２００の１つまたは複数の機能を実施することができる。
【００３５】
通信コンポーネント２０２は、制御情報および／またはデータ情報を、１つもしくは複数のモバイル・デバイス（たとえば、モバイル・デバイス１０４）に送信する、および／または１つもしくは複数のモバイル・デバイスから受信することができる。いくつかの実施形態において、通信コンポーネント２０２は、限定はしないが、１つまたは複数のモバイル・デバイスのためのＲＳ情報を含むハイブリッド・シグナリングを送信することができる。通信コンポーネント２０２はまた、多数のＰＲＢに対する１つまたは複数のＲＥマッピング・パターンを（第３のタイプのシグナリングにおいて）、およびすべてのモバイル・デバイスのために使用される単一のＰＲＢに対するＲＥマッピング・パターンを（第２のタイプのシグナリングにおいて）送信することができる。たとえば、第３のタイプのシグナリングにおいて、ＰＲＢグループ化コンポーネント２０６は、異なるＰＲＢグループを決定することができ、ＲＥ−ＰＲＢ決定コンポーネント２０４は、決定したＰＲＢグループに対する１つのＲＥマッピング・パターンを送信することができる。第２のタイプのシグナリングのケースにおいて、ＰＲＢグループ化コンポーネント２０６は、すべてのモバイル・デバイスを単一のＰＲＢにグループ化し、ＲＥ−ＰＲＢ決定コンポーネント２０４は、単一のＰＲＢに対して用いるための１つのＲＥマッピング・パターンを決定する。第３のタイプのシグナリングのケースにおいて、ＰＲＢグループ化コンポーネント２０６は、１つよりも多いグループを形成し、それによって２つ以上のモバイル・デバイスをＰＲＢグループに分割し、ＲＥ−ＰＲＢ決定コンポーネント２０４は、ＰＲＢグループごとに用いるための１つのＲＥマッピング・パターンを決定する。
【００３６】
ＲＥパターンは、いくつかの実施形態において、２次元のビットマップであってよい。いくつかの実施形態において、物理リソース・ブロック（ＰＲＢ）ごとに２次元のビットマップが存在してよい。１つのＰＲＢについて、ＯＦＤＭシンボル×サブキャリア（たとえば、スロットにおけるＯＦＤＭシンボルの数が７であり、サブキャリアの数が１２である場合、ビットマップは７掛ける１２）である。２次元のビットマップをビット値０および１でポピュレートして、特定の（ＯＦＤＭシンボル位置、サブキャリア位置）組合せに対応するＲＥを、制御チャネル情報またはデータの送信のために用いることができるかどうかを指し示すことができる。
【００３７】
いくつかの実施形態において、ＲＥにおけるビット値が第１の値（たとえば、「０」）である場合、そのＯＦＤＭシンボル位置、サブキャリア位置でデータを送信することはできない。ＲＥにおけるビット値が第２の値（たとえば、「１」）である場合、そのＯＦＤＭシンボル位置、サブキャリア位置でデータを送信することができる。それに応じて、いくつかの実施形態において、ビットマップにおける各ビットは、そのＯＦＤＭシンボル上のサブキャリアを、ＰＤＳＣＨ  ＲＥマッピングのために使用することができるか否かを指し示す。ビットマップはまた、制御チャネル用に設計されたシンボルも含むことができる（たとえば、第１のシンボルが制御チャネル送信用に設計されている場合、しかしビットマップはなおも、それらのＲＥを使用するようにＵＥに指し示すことができる）。
【００３８】
それに応じて、異なるＲＥパターンは、データをその上で送信することができる制御チャネル・シンボル・サブキャリア、および制御チャネル情報をその上で送信することができる制御チャネル・シンボル・サブキャリアを指し示すことができる。従来の制御チャネルの使用（たとえば、図４、図５、図６および図７のシンボル位置０）と、従来のデータ・チャネルの使用（たとえば、図４、図５、図６および図７のシンボル位置１〜１３）とを、任意の数の構成において指定することができる（ならびに、１つまたは複数の異なるモバイル・デバイスは、ＲＥパターンの異なるセットを受信することができ、したがってＲＥパターンは、１つまたは複数の異なるモバイル・デバイスに固有であってよい、またはモバイル・デバイスごとに一意であるように個別化されてよい）。
【００３９】
メモリ２０８は、制御デバイス２００を参照して本明細書で説明される機能のうちの１つまたは複数を実施するように構成された、コンピュータ実行可能命令および／または情報を記憶するコンピュータ可読ストレージ媒体であってよい。たとえば、いくつかの実施形態において、メモリ２０８は、１つまたは複数のＲＥパターンを決定すること、ＰＲＢのグループ化を決定すること、その他に関連付けられたコンピュータ可読ストレージ媒体を記憶することができる。プロセッサ２１０は、制御デバイス２００を参照して本明細書で説明される機能のうちの１つまたは複数を実施することができる。
【００４０】
図３もまた見てみると、モバイル・デバイス１０４は、通信コンポーネント３０２、ＲＥパターン選択コンポーネント２０６、ＰＲＢコンポーネント３０８、メモリ３１０、および／またはプロセッサ３１２を含むことができる。いくつかの実施形態において、通信コンポーネント３０２、ＲＥパターン選択コンポーネント２０６、ＰＲＢコンポーネント３０８、メモリ３１０、および／またはプロセッサ３１２のうちの１つまたは複数は、電気的におよび／または通信可能に互いに結合されて、モバイル・デバイス１０４の１つまたは複数の機能を実施することができる。
【００４１】
いくつかの実施形態において、通信コンポーネント３０２は、１つまたは複数の異なるＲＥマッピング・パターンおよび／またはモバイル・デバイスへの特定のＰＲＢに関する情報を受信することができる。ＲＥパターン選択コンポーネント３０６は、１つまたは複数のＲＥマッピング・パターンの中で選択することができ、一方ＰＲＢコンポーネント３０８は、モバイル・デバイス１０４のために指し示された特定のＰＲＢに応じて、さまざまな異なるオプションを実施することができる。
【００４２】
メモリ３１０は、モバイル・デバイス１０４を参照して本明細書で説明される機能のうちの１つまたは複数を実施するように構成された、コンピュータ実行可能命令および／または情報を記憶するコンピュータ可読ストレージ媒体であってよい。たとえば、いくつかの実施形態において、メモリ３１０は、１つまたは複数のＲＥパターンを決定すること、モバイル・デバイス１０４に割り当てられたＰＲＢを決定すること、その他に関連付けられたコンピュータ可読ストレージ媒体を記憶することができる。プロセッサ３１２は、モバイル・デバイス１０４を参照して本明細書で説明される機能のうちの１つまたは複数を実施することができる。
【００４３】
本明細書で説明される１つまたは複数の実施形態は、本明細書で提供される、５Ｇワイヤレス通信システムにおけるダウンリンク制御チャネルの効率的な使用のためにＲＥマッピングを促進することができる、システム、装置、方法、および／またはマシン可読ストレージ媒体を含むことができる。とりわけ、本明細書で説明される１つまたは複数の実施形態は、ＰＤＳＣＨ  ＲＥマッピングを構成するためのハイブリッド・シグナリング方法を提供することができる。本明細書で説明されるさまざまな実施形態において、物理リソース・ブロック（ＰＲＢ）のためのＲＥを指し示し（いくつかのケースにおいてはあらゆるＲＥを指し示し）、レガシーおよび非レガシーのモバイル・デバイスに前方互換性を提供するために、１つまたは複数のビットマップを用いることができる。１つまたは複数の実施形態において、どのＰＲＢもみな同じＲＥマッピング・パターンを有する必要がないように、ＰＲＢに対して定義されるＲＥマッピング・パターンは、ＰＲＢごとに異なってよい。
【００４４】
将来に向けて、他の実施形態において、ＰＲＢにおいていくつかのＲＥを占有することになる新しい参照信号を設計する必要がある場合、ネットワークおよび／またはＢＳデバイス１０２は、レガシー・モバイル・デバイスへの新しいＲＥマッピング・パターンを構成することによって、それらのＲＥをブロックすることができる。それにより、レガシー・モバイル・デバイスは新しい参照信号に気付かないものの、レガシー・モバイル・デバイスは、モバイル・デバイスへのダウンリンク・データ送信のためにそれらの参照信号によって使用されるＲＥを回避することができる。
【００４５】
１つまたは複数の実施形態は、ＰＲＢごとベースのＰＤＳＣＨ  ＲＥマッピング・パターンを柔軟に可能にすることができ、このことは、異なるＰＲＢが異なるＲＥマッピング・パターンを有することができることを意味する。また、１つまたは複数の実施形態は、許容可能なシグナリング・オーバーヘッドを提供することができる。
【００４６】
システム１００は、ＰＤＳＣＨ  ＲＥマッピングを構成するためのハイブリッド・シグナリング・アプローチを提供する、および／または促進することができる。ＬＴＥ物理ダウンリンク共有チャネル（ＰＤＳＣＨ）リソース要素（ＲＥ）マッピング・スキームは、知られている信号および他のチャネルの周囲でマッピングするように設計された。それに対応して、本明細書で第１のタイプのシグナリングと呼ばれるシグナリングは、それらのＲＳおよび／またはチャネルの構成を指し示すように設計され、それにより、モバイル・デバイスは、ＲＥ位置を暗黙的に知っており、たとえば、所与のパラメータ・セットのためのＲＥマッピング・パターンを、以下のパラメータから暗黙的に導き出すことができる：ｃｒｓ−ＰｏｒｔｓＣｏｕｎｔ−ｒ１１、ｃｒｓ−ＦｒｅｑＳｈｉｆｔ−ｒ１１、ｍｂｓｆｎ−ＳｕｂｆｒａｍｅＣｏｎｆｉｇＬｉｓｔ−ｒ１１、ｃｓｉ−ＲＳ−ＣｏｎｆｉｇＺＰＩｄ−ｒ１１、ｐｄｓｃｈ−Ｓｔａｒｔ−ｒ１１、ｑｃｌ−ＣＳＩ−ＲＳ−ＣｏｎｆｉｇＮＺＰＩｄ−ｒ１１、および／またはｚｅｒｏＴｘＰｏｗｅｒＣＳＩ−ＲＳ２−ｒ１２。
【００４７】
とりわけ、いくつかの実施形態において、第１のタイプのシグナリングは、１つまたは複数の知られているＲＳおよび／またはチャネルの構成をモバイル・デバイス１０４にシグナリングすることによって、ＢＳデバイス１０２がＰＤＳＣＨ  ＲＥマッピング・パターンを構成することができるアプローチであってよい。このシグナリングは、必須であってよく、ハイブリッド・シグナリング・アプローチが実施されるときにはいつでも実施することができる。
【００４８】
たとえば、さまざまな実施形態において、第１のタイプのシグナリングで、ＢＳデバイス１０２は、５Ｇ  ＣＯＲＥＳＥＴ構成、５Ｇ  ＣＳＩ−ＲＳ構成、５Ｇ  ＰＤＳＣＨ開始シンボル、５Ｇ  ＰＤＳＣＨ終了シンボル（たとえば、ミニスロット実施形態）、および／またはＬＴＥ  ＲＳ構成のうちの、１つまたは複数の構成をシグナリングすることができる。１つまたは複数の実施形態において、ＢＳデバイス１０２は、ＰＤＳＣＨ  ＲＥマッピングを構成するためのシグナリング設計スキームを提供することができる。１つまたは複数の実施形態において、第１のタイプのシグナリングは、知られているＲＳおよび／またはチャネルの構成を、１つのタイプのシグナリングとして含むことができ、第３のタイプのシグナリングは、ＰＲＢグループごとベースのビットマップ・シグナリングを、別のタイプのシグナリングとして含むことができる。１つまたは複数の実施形態は、将来のモバイル・デバイスを、シグナリング・オーバーヘッドを低く保ちながら、互換性をもって提供することができる。
【００４９】
図４、図５、および／または図６を参照して、第１のタイプのシグナリングを説明することができ、一方図７を参照して、第２のタイプのシグナリングを説明することができる。図４、図５、図６、および図７は、本明細書で説明される１つまたは複数の実施形態に従って、ダウンリンク制御チャネルの効率的な使用のためにＲＥマッピングを促進するために用いることができる、例としての非限定的なＲＥマッピング・パターンを例示する。本明細書で説明される他の実施形態において用いられる同様の要素の繰り返しの説明は、簡潔さのために省略される。
【００５０】
モバイル・デバイス１０４は、２つ以上の異なるＲＥパターンで構成されてよい、および／または２つ以上の異なるＲＥパターンを記憶することができる。異なるＲＥパターンは、ダウンリンク上の制御チャネルに関連付けられたどのＯＦＤＭシンボル・サブキャリアを、データの送信のために用いることができるのかを指し示すことができる。さまざまな実施形態において、異なるＲＥパターンは、ＢＳデバイス１０２および／または制御デバイス２００によって構成されてよい。ＲＥパターンは、その時々で異なって構成されてもよく、モバイル・デバイス１０４のために構成されたＲＥパターンのセットは、したがって、任意の数の要因に基づいて動的に変化することができる。たとえば、いくつかの実施形態において、制御デバイス２００またはＢＳデバイス１０２が、１つまたは複数の制御チャネル・サブキャリアが日常的に使用されていない（または、たとえば、定義された閾値よりも少ない使用率を有する）と判定した場合、制御デバイス２００またはＢＳデバイス１０２は、使用されていない制御チャネルＯＦＤＭシンボル・サブキャリアを、１つまたは複数の後続のダウンリンク制御チャネル送信のためのデータ送信のために用いることができる制御チャネルＯＦＤＭシンボル・サブキャリアとして指し示すことができる。
【００５１】
説明したように、異なるＲＥパターンは、データをその上で送信することができる制御チャネル・シンボル・サブキャリア、および制御チャネル情報をその上で送信することができる制御チャネル・シンボル・サブキャリアを指し示すことができる。たとえば、図４に示すように、第１のパターン４００は、ＲＥパターン決定コンポーネントが最初に、データを送信するために任意のＲＥ（ＯＦＤＭシンボルとサブキャリアとの組合せ）を用いることができることを示すＲＥパターン４００を、モバイル・デバイス１０４に送信することを示す。このようにして、モバイル・デバイス１０４のリソース要素パターン選択コンポーネント３０６は、ＲＥパターン決定コンポーネント２０４によって、制御チャネル（たとえば、シンボル位置０）が、ＯＦＤＭシンボル位置０のサブキャリアのうちのいずれかの上でデータを送信するために完全に利用できるものとして指し示されていると判定することができる。そのようなことは、たとえば、図４において、各ＲＥを値「１」でポピュレートすることによって示される。いくつかの実施形態において、ＲＥ４０２は、ダウンリンク制御チャネル情報のために用いられてよく、制御チャネルに関連付けられた（たとえば、４０２によって表現されたＲＥのサブセットに含まれていないＯＦＤＭシンボル位置０に関連付けられた）他のサブキャリアは、モバイル・デバイス１０４へのダウンリンク上のデータ送信のために用いられてよい。
【００５２】
しかしながら、本明細書で説明される実施形態のうちのいくつかにおいて、モバイル・デバイス１０４のリソース要素パターン選択コンポーネント３０６は、データの受信のためにどのＲＥを実際に使用することができるかを判定するために、ＲＥパターン４００の受信時にモバイル・デバイス１０４によって実施され得る２段階評価プロセスを有することができる。２段階解析は、以下のようであってよい。ＲＥパターン４００が、モバイル・デバイス１０４によって受信され得る。モバイル・デバイス１０４のリソース要素パターン選択コンポーネント３０６が、ＲＥパターン４００および１つまたは複数の異なる基準に基づいて、データをその上で受信することができるＲＥを決定することができる。モバイル・デバイス１０４のリソース要素パターン選択コンポーネント３０６は、１）最初のＲＥパターン（たとえば、パターン４００、６００）において、データ受信のために利用可能であると指し示されたどのＲＥが指し示されているかに基づいて、いずれかのＲＥ上でデータが受信されるべきかどうか／データが実際に受信されることになるかどうか、２）そのＲＥ上で（実際に）受信されたいずれかの参照信号が存在するかどうか、もしくはモバイル・デバイス１０４がそのＲＥ上で受信することを予期するいずれかの参照信号が存在するかどうか、またはモバイル・デバイス１０４がそれ自身の制御情報（たとえば、モバイル・デバイス制御情報）のために使用する、もしくは使用することになるいずれかの制御チャネルが存在するかどうか、を判定することができる。
【００５３】
解析のステップ２において、ＲＥが参照信号の受信（現在または未来の受信）に関連付けられているとして指し示される場合、そのようなＲＥは、モバイル・デバイス１０４によってそのようなＲＥでのデータの受信のための候補ＲＥとして指し示され得るにもかかわらず、データの受信のために用いられることはない。解析に基づいて、モバイル・デバイス１０４のリソース要素パターン選択コンポーネント３０６は、ＲＥパターン４００を更新して、新しい、変更されたＲＥパターン５００を生成することができ、これは、２段階解析から結果として得られた（または、どのＲＥ上で、ＲＥパターン４００において受信することが可能であると指し示されたデータが、実際には受信されないことになるかを指し示す情報を生成するための）ＲＥパターン４００の変更されたバージョンである。図５に示すように、ＲＥパターン４００は、ＲＥパターン５００に変更されて、濃い灰色のＲＥ（そのうちのいくつかは参照番号５０４がラベル付けされて示されている）は参照信号に関連付けられたＲＥであって、したがって、ＲＥパターン４００がそれらのＲＥについて値「１」を指し示すにもかかわらず、それらのＲＥ上ではデータを受信することができないと指し示すことができる。やはり図５に示すように、黄色のＲＥ（そのうちのいくつかは参照番号５０２がラベル付けされて示されている）は、データをその上で受信することができるＲＥである。緑色のＲＥとして示されるＲＥ（参照番号４０２として示されている）は、いくつかの実施形態において、制御チャネル情報の受信のために用いることができる（または、他の実施形態においては、これらの位置のうちの１つまたは複数でデータを受信することができる）。
【００５４】
解析のステップ２において、示されてはいないが、モバイル・デバイス１０４はまた、モバイル・デバイス１０４がそれ自身の制御情報（たとえば、モバイル・デバイス制御情報）のために使用する、または使用することになるいずれかの制御チャネルが存在するかどうかを判定することができる。モバイル・デバイス１０４が、いずれかのそのようなＲＥがモバイル・デバイス制御情報のために使用される、または使用されることになると判定した場合、モバイル・デバイス１０４は、新しい、変更されたＲＥパターン生成することができ、これは、２段階解析から結果として得られた（または、どのＲＥ上で、ＲＥパターン４００において受信することが可能であると指し示されたデータが、実際には受信されないことになるかを指し示す情報を生成するための）ＲＥパターン４００の変更されたバージョンである。
【００５５】
元のＲＥパターン６００は、制御デバイス２００またはＢＳデバイス１０２によって決定され、モバイル・デバイス１０４に送られてよい。示されるように、ＲＥパターン６００のケースにおいて、ＯＦＤＭシンボル上のサブキャリアについてのＲＥのいずれも、データ用に割り振られない。したがって、データ送信のためにこれらのサブキャリアを用いることはできない。参照信号に関連付けられたさまざまな基準、モバイル・デバイス制御チャネル情報、または任意の数の他の基準に関して上で説明された２段階解析に基づいて、ＲＥパターン７００を決定することができる。
【００５６】
いくつかの実施形態において、第１のタイプのシグナリングを実施した後で、制御デバイス２００および／またはＢＳデバイス１０２は、第２のタイプのシグナリングを用いるか、または第３のタイプのシグナリングを用いるかを選択することができる。第２のタイプのシグナリングは、図７および図８を参照して示され、説明される。図７を見てみると、１つのみのＰＲＢに対するＲＥマッピング・パターンが示されている。第２のタイプのシグナリングにおいて、同じＲＥマッピング・パターンは、図７および図８に示される実施形態におけるＰＲＢのすべてに適用されることになる。
【００５７】
図７および図８は、すべてのＰＲＢに対する第１のＲＥマッピング・パターンを示し、第２のタイプのシグナリングを指し示す。必要なときに、ＢＳデバイス１０２は、第２のタイプのシグナリングにおいてビットマップを使用して、ＰＤＳＣＨ  ＲＥマッピングを構成することができる。たとえば、第２のタイプのシグナリングにおいて、ＢＳデバイス１０２は、１つもしくは複数の知られているＲＳおよび／またはチャネルの構成をシグナリングすることに代えて、ビットマップを使用して、ＰＤＳＣＨ  ＲＥマッピングを構成することができる。第２のタイプのシグナリングにおいて、１つもしくは複数のビット（または、いくつかの実施形態においては各ビット）は、１つのＲＥを表現することができる。いくつかの実施形態においては、各ビットが１つのＲＥを表現する。図８に指し示すように、同じＰＤＳＣＨ  ＲＥマッピング・パターンが、すべてのＰＲＢに適用されてよい。たとえば、図８において、８０２（紫色のビットとして示されている）は、第２のタイプのシグナリングの一部としてシグナリングされ得るＲＥマッピング・パターンを示す。
【００５８】
それに応じて、これらの実施形態のうちの１つまたは複数を、通常制御チャネル情報のために確保されるＯＤＦＭ制御チャネル・シンボル位置で、データの送信のために用いることができる。いくつかの実施形態において、示されるように、通常データ送信のために用いられるシンボル位置（たとえば、ＯＦＤＭシンボル位置１〜１３のうちの１つまたは複数）を、モバイル・デバイス制御チャネル情報および／または参照信号のために用いることができる。
【００５９】
説明したように、いくつかの実施形態において、ＲＥパターンが、データのために、またはＰＤＳＣＨのために、ＲＥを使用することができると指し示すとしても、モバイル・デバイス１０４は、いくつかの条件において、データのためにそのＲＥを使用することができない。たとえば、第１のタイプのシグナリングにおいて、同じＲＥが、その特定のモバイル・デバイス１０４に対して構成された参照信号（たとえば、モバイル・デバイス１０４によって構成されたＣＳＩ−ＲＳまたはＤＭＲＳ）によって使用されてもよい。別のケースにおいて、同じＲＥが、モバイル・デバイス１０４のための制御チャネルによって使用されてもよい（たとえば、モバイル・デバイス１０４が制御チャネルを正常にデコードしたとき、ＲＥパターン（たとえば、ＤＣＩ）がそれらのＲＥをＰＤＳＣＨのために使用することができると指し示すとしても、モバイル・デバイスは、ＰＤＳＣＨから制御チャネルのために使用されたＲＥを除外することができる）。いくつかの実施形態において、モバイル・デバイス１０４は、ＲＥマッピング・パターンに従って、（ＤＣＩシグナリングにおいて指し示された）割り振られたすべてのＰＲＢ上で、ＰＤＳＣＨ  ＲＥマッピングを行う（および、したがって情報を受信する）ことができる。
【００６０】
それに応じて、１つまたは複数の実施形態は、モバイル・デバイス固有の動的なＰＤＳＣＨ  ＲＥマッピングを提供して、データおよび制御の柔軟な多重化を可能にすることができる。それに応じて、１つまたは複数の実施形態において、ＰＤＳＣＨ  ＲＥマッピングのための準静的なおよび／または動的なシグナリング・フレームワークが提供されてよい。多数のＲＥマッピング・パターンが、動作に先立ってモバイル・デバイス１０４に対して準静的に構成されてもよいし、および／または、その時々で更新されてもよい。次いで、ＢＳデバイス１０２は、現在の（および、いくつかの実施形態においては将来の）ＰＤＳＣＨ送信で使用するための１つのパターンを動的に指し示すことができる。ＲＥマッピング・パターンは、任意のＯＦＤＭシンボルまたはサブキャリアにおいてＲＥを指し示すことができる、２次元のビットマップのフォーマットであってよい。そのような柔軟なシグナリング・フレームワークは、制御チャネルとデータ・チャネルとの間でＲＥの動的な共有を可能にする。また、レガシーＵＥは、いずれか任意のＲＥの周囲でＰＤＳＣＨをマップするように構成され得るので、ワイヤレス通信システム（およびそのようなシステムを利用するモバイル・デバイス）の将来のリリース／バージョンは、そのようなシステムの負の関わりを考慮することなく、いくつかのＲＥを占有する新しい特徴を導入することができる。
【００６１】
いくつかの実施形態において、制御デバイス２００またはＢＳデバイス１０２は、オプションで、第２のタイプまたは第３のタイプのシグナリングを用いることができる。第１のタイプのシグナリングにおいて、制御デバイス２００またはＢＳデバイス１０２は、知られているＲＳに基づいたＲＥマッピングをモバイル・デバイス１０４に伝える情報を、モバイル・デバイス１０４に送信する。第２のタイプのシグナリングにおいて、制御デバイス２００またはＢＳデバイス１０２は、ＲＥマッピングに対する単一のＰＲＢを指し示す情報を送信することができる。
【００６２】
図９は、本明細書で説明される１つまたは複数の実施形態に従った、多数のＰＲＢに対する、およびダウンリンク制御チャネルの効率的な使用のためにＲＥマッピングを促進するために用いることができる、例としての非限定的なＲＥマッピング・パターンを例示する。たとえば、図９は、第３のタイプのシグナリングについてのＲＥマッピング・パターンを例示する。本明細書で説明される他の実施形態において用いられる同様の要素の繰り返しの説明は、簡潔さのために省略される。
【００６３】
９００で、ＰＲＢ−２およびＰＲＢ−３を含むＰＲＢグループに対するＲＥマッピングが示されている。ＰＲＢ−２は９０２で指し示され、ＰＲＢ−３は９０４で指し示されている。図８の８００で示されたＲＥマッピングは、ＰＲＢ−１（図８の８０２で示されている）に対してであってよく、一方図９の９００で示されたＲＥマッピングは、図８で示されたＲＥマッピングとは異なってよく、ＰＲＢ−２（９０２で示されている）およびＰＲＢ−３（９０４で示されている）に関連付けられていてよいことに留意されたい。このようにして、本明細書で説明される１つまたは複数の実施形態（たとえば、第３のタイプのシグナリング）において、ＰＲＢごとに単一のＲＥマッピング・パターンを送信することに代えて、ＰＲＢグループの一部として選択された多数のＰＲＢを表現するために、単一のＲＥマッピング・パターンを用いることができる。このケースでの図８および図９において、ＰＲＢ−２およびＰＲＢ−３は、第１のグループの一部として選択され、一方ＰＲＢ−１は、第２のグループである、または第２のグループの一部である。
【００６４】
それに応じて、図８に指し示すように、ＲＥマッピングがすべてのＰＲＢに対して提供されるオプションの第２のタイプのシグナリングを用いることに代えて、制御デバイス２００および／またはＢＳデバイス１０２は、本明細書で説明される１つまたは複数の実施形態において、かつ図９に示した第３のタイプのシグナリングを用いることができる。たとえば、いくつかの実施形態において、第３のタイプのシグナリングは、制御デバイス２００および／またはＢＳデバイス１０２が、図７および図８に示したものとは異なる別のＰＲＢ  ＲＥマッピングを構成するのを可能にして、図９に示すように、ＰＲＢグループ内の多数のＰＲＢの構成をもたらす。それに応じて、図８のＰＲＢ（たとえば、ＰＲＢ−１）は、１つの関連付けられたＲＥマッピング・パターンを有することができ、図９ＡのＰＲＢ（たとえば、ＰＲＢ−２）は、示されるように、ＰＲＢ−１に関連付けられたマッピング・パターンとは異なる第２のＲＥマッピング・パターンを有することができる。
【００６５】
とりわけ、制御デバイス２００および／またはＢＳデバイス１０２は、ＰＲＢのうちの異なるＰＲＢに対して異なるＲＥマッピング・パターンを用いることができる、または、より優れたシステム効率のために、制御デバイス２００および／またはＢＳデバイス１０２は、図９に示すように、ＰＲＢの異なるグループに対して異なるＲＥマッピング・パターンを用いることができる。
【００６６】
いくつかの実施形態において、第３のタイプのシグナリング・アプローチは、ＢＳデバイス１０２が構成する１つもしくは複数の多数のＰＲＢまたはＰＲＢグループ固有のＰＤＳＣＨ  ＲＥマッピング・パターンを、ビットマップで用いることができる。この構成は、第２のタイプのシグナリングの少なくとも一部から、ＲＥマッピング・パターンを上書きすることができる。たとえば、いくつかの実施形態において、第３のタイプのシグナリングは、１つもしくは多数のＰＲＢまたはＰＲＢグループ固有のＰＤＳＣＨ  ＲＥマッピング・パターンを、ビットマップで構成することができる。それに応じて、第３のタイプのハイブリッド・シグナリング・アプローチの１つまたは複数の実施形態は、ＰＲＢレベルの柔軟なシグナリングを提供しながら、シグナリング・オーバーヘッドを節約することができる。
【００６７】
限定ではなく例として、制御デバイス２００および／またはＢＳデバイス１０２は、ＰＲＢの２つ以上のグループを（たとえば、開始ＰＲＢおよび終了ＰＲＢのインデックスによって）最初に決定／構成することができるシグナリングを送信することができる。次いで、制御デバイス２００および／またはＢＳデバイス１０２は、ＰＲＢのグループごとにＰＤＳＣＨ  ＲＥマッピングのビットマップ（ＰＲＢグループ当たり１つのビットマップ）を送信することができる。それに応じて、第３のタイプのシグナリングにおいて、制御デバイス２００および／またはＢＳデバイス１０２は、異なるＰＲＢグループ（たとえば、第１のＰＲＢグループは、ＰＲＢ−１、ＰＲＢ−２、ＰＲＢ−３、．．．ＰＲＢ４０であり得る）を構成し、次いでその第１のＰＲＢグループに対して１つのビットマップを構成することができる。制御デバイス２００および／またはＢＳデバイス１０２は次いで、第２のＰＲＢグループ（たとえば、ＰＲＢ４１、ＰＲＢ４２、．．．ＰＲＢ５０）を構成し、その第２のＰＲＢグループに対して１つのみのビットマップを構成することができる。各ＰＲＢグループは、他のグループに対する他のＲＥマッピング・パターンとは別個の、関連付けられたＲＥマッピング・パターンを有することができる。それに応じて、第３のタイプのシグナリングの実施形態は、定義された数のビットマップ（それはＰＲＢグループの数に等しいことになる）を利用することのみを必要とする。提供された例において、第３のタイプのシグナリングは、たとえば、５０のビットマップの代わりに、２つのビットマップを含むことのみを必要とする。
【００６８】
さまざまな異なる実施形態において、ＢＳデバイス１０２および／または制御デバイス２００は、第１および第２のタイプのシグナリング、第２のタイプのシグナリング情報の一部を第３のタイプのシグナリングでオーバーライドすることを伴う第１および第２のタイプのシグナリング、および／または、第１および第３のタイプのシグナリングを実施することを選択することができる。いくつかの実施形態において、実施するシグナリングのタイプの選択は、ＢＳデバイス１０２によってサービスされるモバイル・デバイスのタイプに関する、制御デバイス２００またはＢＳデバイス１０２による判定に基づくことができる（たとえば、レガシー・モバイル・デバイスのみが存在する場合、第３のタイプのシグナリングに頼ることなく、第１および第２のタイプのハイブリッド・シグナリングを用いることができる）。
【００６９】
いくつかの実施形態において、制御デバイス２００および／またはＢＳデバイス１０２は、１つまたは複数のモバイル・デバイスが認識することになるＲＥパターンを決定することができる。制御デバイス２００および／またはＢＳデバイス１０２は次いで、第２のタイプのシグナリングとして、非常に多くの（または、いくつかの実施形態においては大多数の）モバイル・デバイスに対処することができるＲＥマッピング・パターンを構成するための情報を送信することができる。単一のＰＲＢを、ＲＥマッピングに割り当てることができる。制御デバイス２００および／またはＢＳデバイス１０２は、第３のタイプのシグナリングにおいて、選択されたモバイル・デバイスのために、そのようなＰＲＢをオーバーライドすることができる。これらの選択されたモバイル・デバイスは、異なるＰＲＢを必要とするモバイル・デバイスであることがある。したがって、第３のタイプのシグナリングの後では、異なるＲＥマッピングを伴う異なるＰＲＢグループが存在してもよい。
【００７０】
本明細書で説明されるいくつかの実施形態において、あらゆるＰＲＢに対してＲＥマッピング・パターンを構成することに代えて、ＰＲＢをグループ化し、グループ化した後で、構成されたグループに対して１つのＲＥマッピングをシグナリングすることができる。本明細書で説明されるいくつかの実施形態において、それに応じて、シグナリングは、ＰＲＢベースである（信号はＰＲＢ全体に対して送信されてよい、および／または、ＲＥマッピングは特定のＰＲＢに対してであってよい）。いくつかの実施形態において、第２のタイプのシグナリングにおいて最初は単一のＰＲＢであった、グループ内の多数のＰＲＢに対して提供するように、すべてのモバイル・デバイスのための１つのＰＲＢに関連付けられたＲＥマッピングの以前の構成を、オプションで上書きすることができる。
【００７１】
いくつかの実施形態において、ＲＥマッピングがバンド幅におけるすべてのＰＲＢにわたって共通である場合、制御デバイス１０２および／またはＢＳデバイス１０２は、第１および第２のタイプのシグナリングのみを用いる。そうでない場合、制御デバイス２００および／またはＢＳデバイス１０２は、第１および第３のタイプのシグナリングを用いる。
【００７２】
図１０および図１１は、本明細書で説明される１つまたは複数の実施形態に従って、ダウンリンク共有チャネルの効率的な使用のためにＲＥマッピングを促進する方法のフロー図を例示する。最初に図１０を見てみると、１００２で、方法１０００は、基地局デバイスと、モバイル・デバイス群のうちのモバイル・デバイスとの間でハイブリッド・チャネル・シグナリングを用いることを含むことができ、用いることは、ダウンリンク・チャネル・シグナリング用に送信された第１のタイプの情報を、ダウンリンク・チャネル・シグナリング用の第２のタイプの情報でオーバーライドするかどうかを判定することを含み、ここで、第１のタイプの情報は、モバイル・デバイス群のための第１のリソース要素マッピング・パターンに対する、物理リソース・ブロックの第１の物理リソース・ブロック・グループに関連付けられており、第２のタイプの情報は、モバイル・デバイス群のグループのための第２のリソース要素マッピング・パターンに対する、物理リソース・ブロックの第２の物理リソース・ブロック・グループに関連付けられている。
【００７３】
１００４で、方法１０００は、物理ダウンリンク共有チャネルからの選択されたリソース要素を占有することに関連付けられたスケジューリング決定に基づいて、第１の物理リソース・ブロックの一部を第２の物理リソース・ブロックでオーバーライドするために、第２のタイプの情報を送信することを含むことができる。
【００７４】
示されてはいないが、いくつかの実施形態において、方法は、モバイル・デバイス群のグループが定義された基準を満たすことに失敗したという判定に基づいて、第１の物理リソース・ブロック・グループの一部を第２の物理リソース・ブロック・グループでオーバーライドするために、第２のタイプの情報を送信することを含むことができる。いくつかの実施形態において、定義された基準は、基地局デバイスが送信しているチャネルの１つまたは複数のサブバンド上で、モバイル・デバイス群のサブグループが信号を受信できるかどうかに関連付けられている。
【００７５】
いくつかの実施形態において、示されてはいないが、方法１０００はまた、第１の物理リソース・ブロックに対するリソース要素マッピングの第１のビットマップを送信することと、第２の物理リソース・ブロックに対するリソース要素マッピングの第２のビットマップを送信することとを含むことができる。
【００７６】
いくつかの実施形態において、示されてはいないが、ハイブリッド・チャネル・シグナリングを用いることは、基地局デバイスからモバイル・デバイスに、知られている参照信号の構成を送信することをさらに含み、構成を送信することは、ダウンリンク・チャネル・シグナリング用に送信された第１のタイプの情報を、ダウンリンク・チャネル・シグナリング用の第２のタイプの情報でオーバーライドするかどうかを判定することに先立って実施される。
【００７７】
ここで図１１を見てみると、１１０２で、方法１１００は、プロセッサを含む基地局デバイスによって、リソース要素マッピング・シグナリングを生成することを含むことができ、リソース要素マッピング・シグナリングは、物理リソース・ブロックのグループのサブグループの物理リソース・ブロックごとに実施される。１１０４で、方法１１００は、基地局デバイスによって、第１のリソース要素マッピング・パターンを、物理リソース・ブロックのグループの第１のサブグループに送信することを含むことができる。
【００７８】
１１０６で、方法１１０６は、基地局デバイスによって、第２のリソース要素マッピング・パターンを、物理リソース・ブロックのグループの第２のサブグループに送信することを含むことができ、第１のリソース要素マッピング・パターンは、第２のリソース要素マッピング・パターンとは異なる。いくつかの実施形態において、第１のサブグループは、第２のサブグループと相互に排他的である。
【００７９】
いくつかの実施形態において、生成することに先立って、方法は、基地局デバイスによって、物理リソース・ブロックのグループの第１のサブグループに対する、モバイル・デバイス群のグループの第１のサブグループのモバイル・デバイス群を決定することと、基地局デバイスによって、物理リソース・ブロックのグループの第２のサブグループに対する、モバイル・デバイス群のグループの第２のサブグループのモバイル・デバイス群を決定することとを含む。
【００８０】
いくつかの実施形態において、第１のサブグループのモバイル・デバイス群を決定すること、および第２のサブグループのモバイル・デバイス群を決定することは、モバイル・デバイス群のうちのどれが、定義されたタイプの信号送信を受信するように構成されるのかを決定することを含む。
【００８１】
図１２は、１つまたは複数の実施形態に従って用いることができるコンピュータのブロック図を例示する。本明細書で説明される他の実施形態において用いられる同様の要素の繰り返しの説明は、簡潔さのために省略される。
【００８２】
いくつかの実施形態において、コンピュータ、またはコンピュータのコンポーネントは、限定はしないが、基地局デバイス１０２、またはモバイル・デバイス１０４（または基地局デバイス１０２もしくはモバイル・デバイス１０４のコンポーネント）を含む、本明細書で説明される任意の数のコンポーネントであってもよいし、または任意の数のコンポーネント内に含まれてもよい。本明細書で説明されるさまざまな実施形態についての追加的なテキストを提供するために、図１２および以下の議論は、本明細書で説明される実施形態のさまざまな実施形態を実装することができる好適なコンピューティング環境１２００の簡潔で一般的な説明を提供することを意図する。実施形態は、１つまたは複数のコンピュータ上で稼働することができるコンピュータ実行可能命令の一般的なコンテキストにおいて上で説明されてきたが、当業者は、実施形態がまた、他のプログラム・モジュールとの組合せにおいて、および／またはハードウェアとソフトウェアとの組合せとして実装されてもよいことを認識するであろう。
【００８３】
一般に、プログラム・モジュールには、特定のタスクを実施する、または特定の抽象データ型を実装する、ルーチン、プログラム、コンポーネント、データ構造、その他が含まれる。その上、当業者は、そのそれぞれが１つまたは複数の関連付けられたデバイスに動作可能に結合され得る、シングル・プロセッサもしくはマルチプロセッサのコンピュータ・システム、ミニコンピュータ、メインフレーム・コンピュータ、ならびにパーソナル・コンピュータ、ハンドヘルド・コンピューティング・デバイス、マイクロプロセッサベースのもしくはプログラマブルな消費者エレクトロニクス、その他を含む他のコンピュータ・システム構成と共に、本発明の方法を実践することができることを認めるであろう。
【００８４】
特許請求の範囲において使用されるとき、用語「第１の」、「第２の」、「第３の」などは、コンテキストによって別段明らかでない限り、明快さのみのためであり、別段時間におけるいかなる順序も指し示す、または含意するものではない。たとえば、「第１の決定」、「第２の決定」、および「第３の決定」は、第１の決定が第２の決定の前に行われることになる、またはその逆であることなどを指し示す、または含意するものではない。
【００８５】
本明細書の実施形態のうちの例示された実施形態はまた、分散コンピューティング環境において実践されてもよく、その場合、一定のタスクは、通信ネットワークを通じてリンクされたリモート処理デバイスによって実施される。分散コンピューティング環境において、プログラム・モジュールは、ローカルおよびリモートの両方のメモリ・ストレージ・デバイスに位置することができる。
【００８６】
コンピューティング・デバイスは、通常、コンピュータ可読（もしくはマシン可読）ストレージ媒体および／または通信媒体を含むことができる多様な媒体を含み、これら２つの用語は、本明細書で以下のように互いに異なって使用される。コンピュータ可読（またはマシン可読）ストレージ媒体は、コンピュータ（またはマシン、デバイス、もしくは装置）によってアクセスされ得る任意の利用可能なストレージ媒体であってよく、揮発性および不揮発性媒体、リムーバブルおよび非リムーバブル媒体の両方を含む。限定ではなく例として、コンピュータ可読（またはマシン可読）ストレージ媒体は、コンピュータ可読（またはマシン可読）命令、プログラム・モジュール、構造化データもしくは非構造化データなどの情報のストレージのために、任意の方法または技術に関連して実装されてよい。有形のおよび／または非一時的なコンピュータ可読（またはマシン可読）ストレージ媒体は、限定はしないが、ランダム・アクセス・メモリ（ＲＡＭ）、読み出し専用メモリ（ＲＯＭ）、電気的に消去可能なプログラマブル読み出し専用メモリ（ＥＥＰＲＯＭ）、フラッシュ・メモリもしくは他のメモリ技術、コンパクト・ディスク読み出し専用メモリ（ＣＤ−ＲＯＭ）、デジタル多用途ディスク（ＤＶＤ）もしくは他の光学ディスク・ストレージ、磁気カセット、磁気テープ、磁気ディスク・ストレージ、他の磁気ストレージ・デバイス、および／または所望の情報を記憶するために使用することができる他の媒体を含むことができる。コンピュータ可読（またはマシン可読）ストレージ媒体は、たとえば、媒体によって記憶された情報に対する多様な動作のためのアクセス要求、クエリ、または他のデータ取り出しプロトコルを介して、１つもしくは複数のローカルな、またはリモートのコンピューティング・デバイスによってアクセスされてよい。
【００８７】
この点に関して、本明細書でストレージ、メモリ、またはコンピュータ可読（もしくはマシン可読）媒体に適用されるときの用語「有形の（ｔａｎｇｉｂｌｅ）」は、修飾語として、伝播する無形の信号自体のみを除外するように理解すべきであり、無形の信号自体を伝播しているだけではないすべての標準的なストレージ、メモリ、またはコンピュータ可読（もしくはマシン可読）媒体の適用範囲を放棄するものではない。
【００８８】
この点に関して、本明細書でストレージ、メモリ、またはコンピュータ可読（もしくはマシン可読）媒体に適用されるときの用語「非一時的な（ｎｏｎ−ｔｒａｎｓｉｔｏｒｙ）」は、修飾語として、伝播する一時的な信号自体のみを除外するように理解すべきであり、一時的な信号自体を伝播しているだけではないすべての標準的なストレージ、メモリ、またはコンピュータ可読（もしくはマシン可読）媒体の適用範囲を放棄するものではない。
【００８９】
通信媒体は、通常、コンピュータ可読（もしくはマシン可読）命令、データ構造、プログラム・モジュール、または他の構造化データもしくは非構造化データを、変調されたデータ信号、たとえば、チャネル波または他のトランスポート・メカニズムなどのデータ信号において具現化し、任意の情報配信媒体またはトランスポート媒体を含む。用語「変調されたデータ信号」は、１つまたは複数の信号における情報をエンコードするようなやり方で設定または変更されたその特性のうちの１つまたは複数を有する信号を指す。限定ではなく例として、通信媒体には、ワイヤード・ネットワークまたはダイレクト・ワイヤード接続などのワイヤード媒体、ならびに音響、ＲＦ、赤外線、および他のワイヤレス媒体などのワイヤレス媒体が含まれる。
【００９０】
再び図１２を参照すると、本明細書で説明される実施形態のうちのさまざまな実施形態を実装するための例としての環境１２００は、コンピュータ１２０２を含み、コンピュータ１２０２は、処理ユニット１２０４と、システム・メモリ１２０６と、システム・バス１２０８とを含む。システム・バス１２０８は、限定はしないが、システム・メモリ１２０６を含むシステム・コンポーネントを、処理ユニット１２０４に結合する。処理ユニット１２０４は、さまざまな商業的に利用可能なプロセッサのうちのいずれかであってよい。デュアル・マイクロプロセッサおよび他のマルチプロセッサ・アーキテクチャがまた、処理ユニット１２０４として用いられてもよい。
【００９１】
システム・バス１２０８は、多様な商業的に利用可能なバス・アーキテクチャのいずれかを使用するメモリ・バス（メモリ・コントローラ付き、またはメモリ・コントローラなし）、周辺機器バス、およびローカル・バスに、さらに相互接続することができるいくつかのタイプのバス構造のうちのいずれかであってよい。システム・メモリ１２０６は、ＲＯＭ１２１０およびＲＡＭ１２１２を含む。基本入出力システム（ＢＩＯＳ）は、ＲＯＭ、消去可能なプログラマブル読み出し専用メモリ（ＥＰＲＯＭ）、ＥＥＰＲＯＭなどの不揮発性メモリに記憶されてよく、ＢＩＯＳは、スタートアップする間などにコンピュータ１２０２内の要素間で情報を転送するのを助ける基本ルーチンを収容する。ＲＡＭ１２１２はまた、データをキャッシュするための静的ＲＡＭなどの高速ＲＡＭを含むことができる。
【００９２】
コンピュータ１２０２は、内部ハードディスク・ドライブ（ＨＤＤ）１２１０（たとえば、ＥＩＤＥ、ＳＡＴＡ）であって、好適なシャーシ（図示せず）において外部使用のためにもまた構成されてよい内部ハードディスク・ドライブ１２１４と、（たとえば、リムーバブル・ディスケット１２１８から読み出す、またはリムーバブル・ディスケット１２１８に書き込むための）磁気フロッピーディスク・ドライブ１２１６と、（たとえば、ＣＤ−ＲＯＭディスク１２２２を読み出す、またはＤＶＤなどの他の高容量光学媒体から読み出す、もしくは他の高容量光学媒体に書き込むための）光学ディスク・ドライブ１２２０とをさらに含む。ハードディスク・ドライブ１２１４、磁気ディスク・ドライブ１２１６、および光学ディスク・ドライブ１２２０は、ハードディスク・ドライブ・インターフェース１２２４、磁気ディスク・ドライブ・インターフェース１２２６、および光学ドライブ・インターフェースよって、それぞれ、システム・バス１２０８に接続されてよい。外部ドライブ実装のためのインターフェース１２２４は、ユニバーサル・シリアル・バス（ＵＳＢ）インターフェース技術、および電気電子技術者協会（ＩＥＥＥ）１３９４インターフェース技術のうちの少なくとも１つ、または両方を含む。他の外部ドライブ接続技術も本明細書で説明される実施形態の企図の内である。
【００９３】
ドライブおよびそれらの関連付けられたコンピュータ可読（またはマシン可読）ストレージ媒体は、データ、データ構造、コンピュータ実行可能命令、その他の不揮発性ストレージを提供する。コンピュータ１２０２のために、ドライブおよびストレージ媒体は、好適なデジタル・フォーマットで任意のデータのストレージに対処する。上のコンピュータ可読（またはマシン可読）ストレージ媒体の説明は、ハードディスク・ドライブ（ＨＤＤ）、リムーバブル磁気ディスケット、およびＣＤまたはＤＶＤなどのリムーバブル光学媒体を指しているが、ジップ・ドライブ、磁気カセット、フラッシュ・メモリ・カード、カートリッジ、その他などの、コンピュータによって可読である他のタイプのストレージ媒体もまた、例としての動作環境において使用されてよく、さらには、任意のそのようなストレージ媒体が、本明細書で説明される方法を実施するためのコンピュータ実行可能命令を収容することができることが当業者によって認められるべきである。
【００９４】
オペレーティング・システム１２３０、１つまたは複数のアプリケーション・プログラム１２３２、他のプログラム・モジュール１２３４、およびプログラム・データ１２３６を含むいくつかのプログラム・モジュールは、ドライブおよびＲＡＭ１２１２に記憶されてよい。オペレーティング・システム、アプリケーション、モジュール、および／またはデータのすべてもしくは部分はまた、ＲＡＭ１２１２においてキャッシュされてもよい。さまざまな商業的に利用可能なオペレーティング・システムまたはオペレーティング・システムの組合せを利用して、本明細書で説明されるシステムおよび方法を実装することができる。
【００９５】
通信デバイスは、１つまたは複数のワイヤード／ワイヤレス入力デバイス、たとえば、キーボード１２３８、およびマウス１２４０などのポインティング・デバイスを通じて、コマンドおよび情報をコンピュータ１２０２に投入することができる。他の入力デバイス（図示せず）は、マイクロフォン、赤外線（ＩＲ）リモート・コントロール、ジョイスティック、ゲームパッド、スタイラス・ペン、タッチスクリーン、その他を含むことができる。これらの、および他の入力デバイスはしばしば、システム・バス１２０８に結合され得る入力デバイス・インターフェース１２４２を通じて、処理ユニット１２０４に接続されるが、パラレル・ポート、ＩＥＥＥ１３９４シリアル・ポート、ゲームポート、ユニバーサル・シリアル・バス（ＵＳＢ）ポート、ＩＲインターフェース、その他などの他のインターフェースによって接続されてもよい。
【００９６】
モニタ１２４４または他のタイプのディスプレイ・デバイスもまた、ビデオ・アダプタ１２４６などのインターフェースを介して、システム・バス１２０８に接続されてよい。モニタ１２４４に加えて、コンピュータは、通常、スピーカ、プリンタ、その他などの他の周辺機器出力デバイス（図示せず）を含む。
【００９７】
コンピュータ１２０２は、リモート・コンピュータ１２４８などの１つまたは複数のリモート・コンピュータへのワイヤードおよび／またはワイヤレス通信を介した論理接続を使用して、ネットワーク化された環境において動作することができる。リモート・コンピュータ１２４８は、ワークステーション、サーバ・コンピュータ、ルータ、パーソナル・コンピュータ、ポータブル・コンピュータ、マイクロプロセッサベースのエンターテインメント・アプライアンス、ピア・デバイスまたは他の共通ネットワーク・ノードであってよく、通常は、コンピュータ１２０２に関して説明された要素のうちの多くまたはすべてを含むものの、簡潔さの目的のために、メモリ／ストレージ・デバイス１２５０のみが例示されている。図示される論理接続は、ローカル・エリア・ネットワーク（ＬＡＮ）１２５２および／またはより大きなネットワーク、たとえばワイド・エリア・ネットワーク（ＷＡＮ）１２５４へのワイヤード／ワイヤレス接続性を含む。そのようなＬＡＮおよびＷＡＮネットワーキング環境は、オフィスおよび会社においてごく普通であり、イントラネットなどの企業規模のコンピュータ・ネットワークを促進し、そのすべては、グローバル通信ネットワーク、たとえば、インターネットに接続することができる。
【００９８】
ＬＡＮネットワーキング環境において使用されるとき、コンピュータ１２０２は、ワイヤードおよび／またはワイヤレス通信ネットワーク・インターフェースもしくはネットワーク・アダプタ１２５６を通じて、ローカル・ネットワーク１２５２に接続されてよい。アダプタ１２５６は、ＬＡＮ１２５２へのワイヤードまたはワイヤレス通信を促進することができ、ＬＡＮ１２５２はまた、ワイヤレス・アダプタ１２５６と通信するために配置されるワイヤレスＡＰを含むことができる。
【００９９】
ＷＡＮネットワーキング環境において使用されるとき、コンピュータ１２０２は、モデム１２５８を含んでもよいし、もしくはＷＡＮ１２５４上の通信サーバに接続されてもよく、またはインターネットを経由してなど、ＷＡＮ１２５４上で通信を確立するための他の手段を有する。内部にあっても外部にあっても、ワイヤード・デバイスであってもワイヤレス・デバイスであってもよいモデム１２５８は、入力デバイス・インターフェース１２４２を介して、システム・バス１２０８に接続されてよい。ネットワーク化された環境において、コンピュータ１２０２またはその部分に関して図示されたプログラム・モジュールを、リモート・メモリ／ストレージ・デバイス１２５０に記憶することができる。示されたネットワーク接続は例であり、コンピュータ間で通信リンクを確立する他の手段を使用することができることが認められるであろう。
【０１００】
コンピュータ１２０２は、ワイヤレス通信内に動作可能に配置された任意のワイヤレス・デバイスまたはエンティティ、たとえば、プリンタ、スキャナ、デスクトップおよび／またはポータブル・コンピュータ、ポータブル・データ・アシスタント、通信衛星、ワイヤレスで検出可能なタグに関連付けられた任意の機器または地点（たとえば、キオスク、ニュース・スタンド、レストルーム）、ならびに電話と通信するように動作可能であってよい。これは、ワイヤレス・フィデリティ（Ｗｉ−Ｆｉ）およびＢＬＵＥＴＯＯＴＨ（登録商標）のワイヤレス技術を含むことができる。このようにして、通信は、従来のネットワークと同様に定義された構造であってもよいし、または単に少なくとも２つのデバイス間でのアドホック通信であってもよい。
【０１０１】
Ｗｉ−Ｆｉは、自宅のソファ、ホテルの部屋のベッド、または職場の会議室から、ワイヤなしで、インターネットへの接続を可能にすることができる。Ｗｉ−Ｆｉは、そのようなデバイス、たとえばコンピュータが、フェムトセル・デバイスの範囲内のどこであっても屋内外でデータを送受信するのを可能にする、セル電話で使用されるものと同様のワイヤレス技術である。Ｗｉ−Ｆｉネットワークは、ＩＥＥＥ８０２．１１（ａ、ｂ、ｇ、ｎ、その他）と呼ばれる無線技術を使用して、セキュアで、信頼できる、速いワイヤレス接続性を提供する。Ｗｉ−Ｆｉネットワークを使用して、コンピュータを、互いに、インターネットに、および（ＩＥＥＥ８０２．３またはＥｔｈｅｒｎｅｔを使用することができる）ワイヤード・ネットワークに接続することができる。Ｗｉ−Ｆｉネットワークは、１１Ｍｂｐｓ（８０２．１１ａ）もしくは５４Ｍｂｐｓ（８０２．１１ｂ）データレートで、たとえば、免許不要の２．４および５ＧＨｚ無線バンドにおいて動作する、または両方のバンド（デュアルバンド）を収容する製品によって動作し、それにより、ネットワークは、多くのオフィスで使用される基本的な１２Ｂａｓｅ  ＴワイヤードＥｔｈｅｒｎｅｔネットワークと同様の実世界パフォーマンスを提供することができる。
【０１０２】
本明細書で説明される実施形態は、人工知能（ＡＩ）を用いて、本明細書で説明される１つまたは複数の特徴の自動化を促進することができる。実施形態は、（たとえば、既存の通信ネットワークに追加した後で最大値／最大利益を提供する、取得されたセル・サイトを自動的に識別することに関連して）そのさまざまな実施形態を遂行するためのさまざまなＡＩベースのスキームを用いることができる。その上、取得されたネットワークの各セル・サイトのランキングまたは優先順位を決定するために、分類子を用いることができる。分類子は、入力属性ベクトルｘ＝（ｘ１，ｘ２，ｘ３，ｘ４，．．．，ｘｎ）を、入力があるクラスに属するという信頼度にマップする関数であり、すなわち、ｆ（ｘ）＝信頼度（クラス）である。そのような分類は、確率的および／または統計的ベースの解析を用いて（たとえば、解析の有用性およびコストを考慮に入れて）、通信デバイスが自動的に実施されることを望むアクションを予測する、または推測することができる。サポート・ベクトル・マシン（ＳＶＭ）は、用いることができる分類子の例である。ＳＶＭは、考え得る入力の空間における超曲面を見つけることによって動作し、超曲面は、トリガリング基準を非トリガリング・イベントから分離しようと試みる。直観的に、これは、トレーニング・データに近いものの同一ではないテスト・データについての分類を正しくする。他の有向および無向モデル分類アプローチには、たとえば、ナイーブ・ベイズ、ベイジアン・ネットワーク、決定ツリー、ニューラル・ネットワーク、ファジー論理モデルが含まれ、異なるパターンの独立性を提供する確率分類モデルを用いることができる。本明細書で使用されるときの分類はまた、優先順位のモデルを開発するために利用される統計的回帰を含む。
【０１０３】
容易に認められるように、実施形態のうちの１つまたは複数は、（たとえば、汎用トレーニング・データを介して）明示的にトレーニングされる、ならびに（たとえば、通信デバイス挙動、オペレータ選好、履歴情報を観察すること、外部からの情報を受信することを介して）暗黙的にトレーニングされる分類子を用いることができる。たとえば、ＳＶＭは、分類子コンストラクタおよび特徴選択モジュール内の学習フェーズまたはトレーニング・フェーズを介して構成されてよい。このようにして、いくつかの機能を自動的に学習し、実施するために分類子を使用することができ、いくつかの機能は、限定はしないが、所定の基準に従って、取得されたセル・サイトのうちのどれが最大数の加入者に利益を与えることになるか、および／または取得されたセル・サイトのうちのどれが既存の通信ネットワーク・カバレッジに最大値を加えることになるか、などを判定することを含む。
【０１０４】
本明細書で用いられるとき、用語「プロセッサ」は、限定はしないが、シングルコア・プロセッサ、ソフトウェア・マルチスレッド実行性能を備えるシングル・プロセッサ、マルチコア・プロセッサ、ソフトウェア・マルチスレッド実行性能を備えるマルチコア・プロセッサ、ハードウェア・マルチスレッド技術を備えるマルチコア・プロセッサ、パラレル・プラットフォーム、および分散化した共有メモリを備えるパラレル・プラットフォームを含む、実質的に任意のコンピューティング処理ユニットまたは処理デバイスを指すことがある。加えて、プロセッサは、集積回路、特定用途向け集積回路（ＡＳＩＣ）、デジタル信号プロセッサ（ＤＳＰ）、フィールド・プログラマブル・ゲートアレイ（ＦＰＧＡ）、プログラマブル論理コントローラ（ＰＬＣ）、複合プログラマブル論理デバイス（ＣＰＬＤ）、ディスクリート・ゲートもしくはトランジスタ論理、ディスクリート・ハードウェア・コンポーネント、または本明細書で説明される機能を実施するように設計されたそれらの任意の組合せを指すことがある。プロセッサは、通信デバイス機器の空間使用を最適化する、またはパフォーマンスを拡張するために、限定はしないが、分子および量子ドットベースのトランジスタ、スイッチ、およびゲートなどのナノ・スケールのアーキテクチャを活用することができる。プロセッサはまた、コンピューティング処理ユニットの組合せとして実装されてもよい。
【０１０５】
本明細書で使用されるとき、「データ・ストレージ」、「データベース」、およびコンポーネントの動作および機能性に該当する実質的に任意の他の情報ストレージ・コンポーネントなどの用語は、「メモリ・コンポーネント」、または「メモリ」において具現化されるエンティティ、またはメモリを含むコンポーネントを指す。本明細書で説明されるメモリ・コンポーネントまたはコンピュータ可読（もしくはマシン可読）ストレージ媒体は、揮発性メモリもしくは不揮発性メモリのいずれであってもよく、または揮発性および不揮発性メモリの両方を含むことができることが認められるであろう。
【０１０６】
本明細書で開示されるメモリは、揮発性メモリもしくは不揮発性メモリを含むことができる、または揮発性および不揮発性メモリの両方を含むことができる。限定ではなく例示として、不揮発性メモリは、読み出し専用メモリ（ＲＯＭ）、プログラマブルＲＯＭ（ＰＲＯＭ）、電気的にプログラマブルなＲＯＭ（ＥＰＲＯＭ）、電気的に消去可能なＰＲＯＭ（ＥＥＰＲＯＭ）、またはフラッシュ・メモリを含むことができる。揮発性メモリは、外部キャッシュ・メモリとして働くランダム・アクセス・メモリ（ＲＡＭ）を含むことができる。限定ではなく例示として、ＲＡＭは、静的ＲＡＭ（ＳＲＡＭ）、動的ＲＡＭ（ＤＲＡＭ）、シンクロナスＤＲＡＭ（ＳＤＲＡＭ）、ダブル・データレートＳＤＲＡＭ（ＤＤＲ  ＳＤＲＡＭ）、拡張型ＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）などの多くの形態で利用可能である。実施形態のメモリ（たとえば、データ・ストレージ、データベース）は、限定することなく、これらの、および任意の他の好適なタイプのメモリを含むことを意図する。
【０１０７】
上で説明してきたものが含むのは、さまざまな実施形態の単なる例にすぎない。当然ながら、これらの例を説明する目的のために、コンポーネントまたは方法論のあらゆる考えられ得る組合せを説明することは可能ではないが、当業者は、本実施形態のさらなる多くの組合せおよび順列が可能であることを認識することができる。それに応じて、本明細書で開示される、および／または特許請求される実施形態は、添付の特許請求の範囲の趣旨および範囲内に入るすべてのそのような改変形態、変更形態、および変形形態を包含することを意図する。さらに、詳細な説明または特許請求の範囲のいずれかで用語「含む（ｃｏｍｐｒｉｓｅｓ）」が使用される限りでは、そのような用語は、請求項において「含む（ｃｏｍｐｒｉｓｉｎｇ）」が移行語として用いられるときに解釈されるときの用語「含む」と同じように包括的であることを意図する。
【図１】
0006975798.tif 000002
【図２】
0006975798.tif 000003
【図３】
0006975798.tif 000004
【図４】
0006975798.tif 000005
【図５】
0006975798.tif 000006
【図６】
0006975798.tif 000007
【図７】
0006975798.tif 000008
【図８】
0006975798.tif 000009
【図９】
0006975798.tif 000010
【図１０】
0006975798.tif 000011
【図１１】
0006975798.tif 000012
【図１２】
0006975798.tif 000013